(57)【要約】【課題】本発明の課題は、従来の交際袋の使用形態を損なわず、極めてシンプルな付加構成に留まるものであると共に、その使用によって出席者、受付者双方にとって煩わしい冠婚葬祭における受付業務をより簡便に、しかも迅速な処理を可能とする交際袋、または交際袋に貼着し同様の機能を有するシールを提供することにある。【解決手段】本発明の交際袋は、裏面側適宜の部分に蝋引き処理して剥離紙領域とした部分を設け、該剥離紙部分に裏面に粘着層を形成した住所氏名記載欄を設けた１枚紙の票を仮貼着するように構成した。また、本発明の住所氏名記載シールは、剥離紙上に、住所氏名記載欄を設けた１枚紙で裏面が粘着層に形成された票を多数マトリックス状又は帯状に配列して仮貼着したものであって、個々の票を交際袋裏面側適宜の部分に貼着して用いることができる。【選択図】　　　図１
2004067155.tif 000002
【特許請求の範囲】
【請求項１】
裏面側適宜の部分に蝋引き等の処理して剥離紙領域とした部分を設け、該剥離紙領域部分に裏面に粘着剤層を形成した住所氏名記載欄を設けた１枚紙の票を仮貼着した交際袋。
【請求項２】
住所氏名記載欄を設けた１枚紙であって裏面が粘着剤層に形成された票を剥離紙上に仮貼着したものが、該剥離紙の裏面が交際袋に接した状態で裏面側適宜の部分に貼着された交際袋。
【請求項３】
交際袋裏面折り返し部分に住所氏名記載欄を備え、該住所氏名記載欄周囲に破断線を施し、住所氏名記載の票として切り離し自在形態としたことを特徴とする交際袋。
【請求項４】
住所氏名記載欄を設けた１枚紙で裏面が粘着剤層に形成された票を剥離台紙上に仮貼着したものであって、前記剥離台紙を剥がして個々の票を交際袋裏面側適宜の部分に貼着して用いることができることを特徴とする住所氏名記載シール。
【請求項５】
剥離紙の裏面が粘着剤層に形成されており、該粘着層は更に剥離紙に仮貼着されたものであって、最下面の剥離紙を剥がしてあらゆる種類の交際袋の裏面側適宜の部分にそのまま貼着して用いることができることを特徴とする請求項４に記載の住所氏名記載シール。
【発明の詳細な説明】
【０００１】
【発明の属する技術分野】
本発明は冠婚葬祭等交際の場において使う、祝儀袋・香典袋・見舞袋・あるいは災害時等の義援金や諸団体において各種の協賛金を集めるとき等の袋や折り畳みの包装体（以下本明細書ではこれらを「交際袋」という。）として使用し、整理簿に貼着して後の整理に便利な当該交際袋とそれに貼るシールに関する。
【０００２】
【従来の技術】
葬儀や結婚式の際、受付の場で香典や祝儀袋を出す際に受付簿に住所・氏名の記載を求められるが、急いでいるとき、又は複数の人から頼まれているときなどとても煩わしいものである。又、受け付ける者にとっても改めて出席者の住所・氏名を整理簿に記帳する作業はとても厄介な仕事となっている。
この点に鑑み、葬祭時の作業を合理化するものとして、例えば実開平８−６１５号公報、実用新案登録第３０２６１０２号、特開平９−２５４９９４号公報および登録実用新案第３０５３３５１号が提示されている。前３件は香典袋等に住所・氏名の記載欄を設け、該記載欄を剥離紙から剥がし、裏面に塗られた接着剤によって別途準備される香典帖に貼着して整理の便を図るものである。しかし、実開平８−６１５号公報のものは住所氏名欄を設けた複写式住所氏名票を香典袋に添付併設するものであり、明細書の説明でははっきりしませんが、多分この住所氏名票を香典袋の裏面等に張り付けた上で、住所氏名を記入して住所部分だけ複写形式で香典袋に転写させ、住所氏名票の表面部分を剥離して香典帖に貼り付けるものと解されます。この構成は住所氏名欄を設けた複写式住所氏名票を香典袋に添付併設する形態であるので、香典袋の裏側等にそれを貼り付ける手間を要し、住所氏名票を部分的に複写機能をもたせると共に、他の領域には接着剤が塗られ剥離可能な特殊な構成とする必要があり、その構成が複雑となっている。また、実用新案登録第３０２６１０２号のものも、複写式住所氏名票を香典袋に設けたものであって、該複写式住所氏名票は上端部に粘着絶縁固定層をそれ以外の領域には下層面に転写可能な複写機能を備えると共に上面を粘着絶縁層を備えた下層紙、更には住所氏名を直接書き込む下面が粘着層となっている上紙とから構成されている。これも先例と同様特殊な構成とする必要があり、複写式住所氏名票の構成が複雑である。そして、特開平９−２５４９９４号公報のものは、細長く形成した記名カードと該記名カードを収容する透明な合成樹脂シートにより形成されたカードケースを備え、細長く形成した記名カードには住所氏名と他面には弔辞などが記入できるようにしたもので、これも香典包装体としては特殊な構成とする必要があるものである。
更に、登録実用新案第３０５３３５１号に提示されたものは、表紙部裏紙部及び折返し部を有する台紙という特殊な小物を香典袋に備え、それをファイリング整理する特殊の整理簿を必要とするものである。
【０００３】
【発明が解決しようとする課題】
そこで本発明の課題は、従来の交際袋の使用形態を損なわず、極めてシンプルな付加構成に留まるものであると共に、その使用によって出席者、受付者双方にとって煩わしい冠婚葬祭における受付業務をより簡便に、しかも迅速な処理を可能とする交際袋、または交際袋に貼着し同様の機能を有するシールを提供することにある。
【０００４】
【課題を解決するための手段】
本発明の交際袋は、裏面側適宜の部分に蝋引き処理して剥離紙領域とした部分を設け、該剥離紙部分に裏面に粘着層を形成した住所氏名記載欄を設けた１枚紙の票を仮貼着するように構成した。また、本発明の住所氏名記載シールは、剥離紙上に、住所氏名記載欄を設けた１枚紙で裏面が粘着層に形成された票を多数マトリックス状又は帯状に配列して仮貼着したものであって、個々の票を交際袋裏面側適宜の部分に貼着して用いることができる。
【０００５】
【発明の実施の形態】
本発明は、前述したように葬祭における受付業務をより簡便に、しかも迅速な処理を可能とすることを初期の目的として出発し、従来この課題を解決するものとして、香典袋の一部に剥離可能な住所氏名記載の票を設け、これを剥がして整理簿に貼着するようにしたものがいくつか提案されてることが判明したが、これらはいずれも構造が複雑であり、実用的であるとはいえなかった。そこで、本発明は、使用者に違和感がなく、通常の使い方がなされると共に、これを整理簿に整理して処理する際には簡便な作業で間違いなく迅速に処理できる方式を想到したものである。すなわち、香典等冠婚葬祭時に用いられる金封包装体は儀礼的な意味合いがあり、表面は毛筆又はサインペンなどで清書記名され、お金が処理された後でも霊前や祭壇等にその包装体が供えられることがあるので、表面は初期の形態を維持出来るものがよい。また、住所については会葬御礼や香典返しなどの際に必要な情報で、霊前や祭壇等に包装体を供える際には不要のものであるから、交際袋にはその複写を残す必要はないと考えられる。以上の事柄を踏まえ、本発明は、粘着剤が塗られた１枚の紙材からなる整理簿に必要な情報である住所氏名記載の票を剥離可能な形態で裏面に設けることを想到したものである。
【０００６】
構造的には住所氏名記載の票として図１に示すように裏面に粘着剤層２が形成された住所氏名記載の票１を剥離紙３１，４１上に配置しただけの単純構造に形成したものであり、それが交際袋３の裏面側の適宜の位置に配設されたものである。これが基本構成であって、形態▲１▼としては図１のＡに示すように交際袋３自体の一部に蝋引き等の処理を施し、剥離紙化（３１）しそこに別途準備した裏面に粘着剤層２が形成された住所氏名記載の票１を仮貼着したものであり、これが最もシンプルな形態である。形態▲２▼は図１のＢに示すように裏面に粘着剤層２が形成された住所氏名記載の票１を剥離台紙４上に配置したものを準備し、それを通常の交際袋３に適宜の方法で貼着したもの。剥離台紙４は蝋引き等の処理がされ剥離機能を持った表側と下の紙の状態の裏面４２からなる。この形態は一般に流通している通常の交際袋３に裏面に粘着剤層２が形成された住所氏名記載の票１を剥離台紙表面４１上に配置すると共に該剥離台紙の裏面４２を適宜の方法で単に貼着した構造であるから、半完成品である１，２，４（４１，４２）の多重層からなるこのシール自体を物品として流通させ、市販の交際袋３に使用者自らが貼着して用いることもできる。形態▲３▼としては、半完成品であるこのシール自体を物品として流通させることを積極的に意図し、図１のＣに示すように前記シールの剥離台紙裏面４２を更に粘着剤層５に形成するようにし、該粘着剤層５は更に別の剥離紙６上に仮貼着させた物品とすることができる。使用者が自ら最下層の剥離紙６を剥がし交際袋３の適宜の場所に貼着して用いることができる。図１のＥに示すように交際袋の裏面適宜の場所に仮貼着されている住所氏名記載票１を図１のＤに示すように剥がし取り図示していない整理簿に該住所氏名記載票１を貼着して整理する。粘着剤層２は剥離紙に対しては剥がれる状態で仮貼着されているが、通常の紙に対しては剥がれることのない状態で貼着される。
また、この形態は冠婚葬祭の交際袋に限らず、団体やグループで行なわれる協賛金等の各種集金・募金において、適宜の袋に当該シールを貼着して幅広く使用することができ、それぞれの事務処理も効率的に行なえるものである。
【０００７】
【実施例１】
本発明に係る実施例を以下に紹介する。この実施例は葬儀の際において使う香典袋の綴じ代の部分を住所氏名記載の票として使うもので、図２に示すように綴じ代の部分を縦３ｃｍほどの幅にとり、その部分の紙表面を蝋引きして剥離紙３１に加工しておく。また別途準備したこの綴じ代と同じ大きさで、裏面に粘着剤層２が形成された住所氏名記載の票１を前記剥離紙化した綴じ代部分３１に仮貼着したものである。このときの綴じ代部分の積層状態は図１のＡ形態である。使用者は通常の交際袋と同様、表面に氏名を記入すると共にこの住所氏名記載の票１にも住所氏名を記入する。その状態が図２のＡである。この際、表書きは一般に筆若しくはサインペン等が用いられるところ、先行例のように転写式の複写を必要とするものは、住所氏名票の記入はボールペンの使用を要するが、本発明のものは住所氏名記載の票１について複写をとらないので、筆記具を代えること無く同じ筆若しくはサインペンでこの票を記入しても問題はない。したがって、使用者にとって楽であり使い勝手がよい。そして袋にお金を入れ、現に使用されている通常の交際袋と同様に封をして準備が終了します。このときの状態での裏面側形態は図２のＣに示したように住所氏名記載の票が香典袋の裏側にくるようになっている。なお、記載欄が縦書きのものは上方に示す。また、このときの状態での表面側形態は図２のＢに示す。この状態で参列者に依頼する人は預け、参列者は自分のものも預かったものも葬儀受付にて渡す。この交際袋を使用した者はこの際受付での住所氏名の記帳は不要となる。
受付の者は受け取った香典袋の綴じ代の部分の住所氏名記載の票を剥がし、単に図５に示すような整理簿に順次貼って行けばよい。続いて香典袋の封を切り、お金の金額を確認して整理簿の金額記入欄にその額を記入しお金を収納すればこれで１つの香典袋についての処理は終了である。処理の済んだ香典袋の表側は何らの手も加わっていないので綺麗なままであるから、遺族の希望があればこれを霊前に供えるようにしても何ら支障はない。
【０００８】
【実施例２】
次に示す実施例は折り畳み式交際袋について述べる。この種の交際袋はお金を入れた中袋を中央に置き、１枚の和紙を図３のＡに示す展開図に示すように、まず縦方向に山３つ折りにし、続いて横方向に山３つ折りにして前記袋を包み込み、図３のＢ上方に示した結び紐で上下の折り返しを止める形となっている。包み終えた正面側は図３のＢ下側に示したようになる。この実施例はこの種の折り畳み式交際袋に適用したものである。図３のＡの展開図において、交際袋として折り畳んだ状態では左側中央部が交際袋の表面となる領域であり、左側上部が上部折返しの表面となる領域である。そこで、本実施例では左側上部の上部折返しの表面であって折り返し線近傍の約３ｃｍ程度の幅の部分を蝋引きなどの方法で剥離紙化処理をおこなう。また別途準備したこの剥離紙化した領域３１とほぼ同じ大きさで、裏面に粘着剤層２が形成された住所氏名記載の票１を前記剥離紙化した領域部分３１に仮貼着して製造したものである。
【０００９】
表面に名前を書き込み、裏側の上部折り返し部の住所氏名記載の票１にも住所氏名を書き込むが、その複写をとる必要がないので表面の名前を書き込みに用いた筆やサインペンで書き込んでも問題はないことは先の例と同様である。書き込んだ交際袋の裏面の様子は図３のＣに示す通りである。図の上部には縦書きのものを示している。後の使用形態は先の例と変りはなく、この状態で参列者に依頼する人は預け、参列者は自分のものも預かったものも葬儀受付にて渡す。この交際袋を使用した者はこの際受付での住所氏名の記帳は不要となる。
受付の者は受け取った香典袋の裏面側上部折り返し部の住所氏名記載の票１を剥がし、単に図５に示すような整理簿に順次貼って行けばよい。続いて香典袋を開き包まれた中袋からお金を出し、お金の金額を確認して整理簿の金額記入欄にその額を記入しお金を収納すればこれで１つの香典袋についての処理は終了である。処理の済んだ香典袋の表側は何らの手も加わっていないので綺麗なままであるから、遺族の希望があればこれを霊前に供えるようにしても何ら支障がない点も先の実施例と同様である。
【００１０】
【実施例３】
次に交際袋には何らの加工をすることなく、上記実施例と同様の使用形態を実現出来る住所氏名記載シールの実施例を示す。交際袋には何らの加工も施さないので従来の交際袋をそのまま使うことができ、単にこのシールを該交際袋の裏面適宜の部分に貼着して用いることが出来るものである。出来上がりは図４左側に示したように横書き又は右側に示したような縦書きの住所氏名記載の票１を縦方向と横方向に適宜の数だけ並べて１枚のシートに形成したものである。この実施例のシートは図１のＢに示すように住所氏名記載の欄を印刷した票１を表面にして、その裏面には粘着剤層２、その下層には剥離化処理された剥離台紙４が積層されて形成されたものである。そして、この剥離台紙４は上面側が蝋引き等によって剥離化処理された層４１と元の未処理状態が保たれた層４２とからなっている。この実施例の住所氏名記載シールは交際袋３に貼って使用する際の便を考え、剥離台紙の裏面４２には切手の裏面と同様に糊５を塗布し乾燥させておく。ただし、この糊５は必須ではなく、使用者が適宜の糊を用いて交際袋３に貼着する形態であってもよい。使用者はこの実施例の住所氏名記載の票１を１つづつ切りとって従来の交際袋の裏面側適宜の場所に貼着する。交際袋は如何なる形態のものでも使用可能で図２に示したような袋状のものにも、図３に示した折り畳み形式のものにも使用できる。切り取りの便のため、この実施例ではシートにおいて票１に境界にミシン目を入れておくようにしている。お金が入れられ、表面の氏名と裏面の住所氏名が記入された交際袋は上記実施例と同様に、受付において住所氏名記載の票１が裏面の粘着剤層２と共に剥がされ、整理簿に貼着される。
なお、この実施例の住所氏名記載シールは必ずしも図４に示したようなシート状である必要はなく、１枚１枚のシールに切り放して流通させてもよい。
【００１１】
【実施例４】
次に示す実施例も住所氏名記載シール形態のものであり、図４に示したようなシート状のものである。この実施例は図１のＣに示したように、住所氏名記載の欄を印刷した票１を表面にして、その裏面には粘着剤層２、その下層には剥離化処理された剥離台紙４が積層されて形成されたものであり、この剥離台紙４は上面側が蝋引き等によって剥離化処理された層４１と元の未処理状態が保たれた層４２とからなっている点までは上記の実施例３と同じである。実施例３との違いは、剥離台紙４の裏面４２に粘着剤層６と最下層に剥離紙７を更に積層している点である。この構成によって、使用者はこの実施例の住所氏名記載の票１を１つづつ切りとってから、最下層の剥離紙７を剥がして従来の交際袋の裏面側適宜の場所に貼着する。交際袋は如何なる形態のものでも使用可能で図２に示したような袋状のものにも、図３に示した折り畳み形式のものにも使用できる。切り取りの便のため、この実施例ではシートにおいて票１に境界にミシン目を入れておくようにしている。お金が入れられ、表面の氏名と裏面の住所氏名が記入された交際袋は上記実施例と同様に、受付において住所氏名記載の票１が裏面の粘着剤層２と共に剥がされ、整理簿に貼着される。
【００１２】
【実施例５】
次に示す実施例は交際袋に住所氏名記載の票を一体的に取り付け、該住所氏名記載の票を切取って使用する形態のものである。図６のＡに示したように外見は実施例１のものとよく似ており、これも香典袋の綴じ代の部分を住所氏名記載の票として使うものであるが、香典袋の綴じ代自体を票として用いる点で相違している。図６のＢは横書きタイプのものがお金が封入され綴じ代部分が折り返されて貼着された状態を示し、図６のＣは縦書きタイプのものがお金が封入され綴じ代部分が折り返されて貼着された状態を示している。綴じ代の部分を縦３ｃｍ×横９．１ｃｍほどの寸法とし、その部分の紙表面を住所氏名記載欄１とすると共に裏面側は粘着剤層２が形成されるようにし、またこの綴じ代の部分が貼り合わされる交際袋３の裏面側上方部は剥離化処理が施され、お金が入れられて一旦封止されても後から容易に剥離させることが可能なようにしておく。その積層構造が図６のＤに示されており、綴じ代が貼り合わされる交際袋３の表面側は剥離紙化された層３１、裏面側は未処理の層３２となっている。そしてこの実施例の大きな特徴点は該住所氏名記載欄１の折返し部分にミシン目の如き破断線８を加工しておくことにある。受付ではこの破断線８の部分を切離しつつ住所氏名記載欄１を剥がして整理簿に貼着すると共に、袋からお金をとり出して額を確認し記帳する。なお、この実施例の簡便な応用例としては綴じ代の部分が貼り合わされる交際袋裏面側上方部を剥離化処理することなく通常の紙のままで、住所氏名記載欄１の裏面側はポストイットなどに使用されている数回の貼着・剥離が可能な特殊な糊９を塗布しておく形態もある。その積層構造が図６のＥに示されている。
【００１３】
【実施例６】
図７に示す実施例は、図中Ａに示すように実施例２と同様に折り畳み式交際袋形態を採るもので、これも左側上部の上部折返しの表面であって折り返し線近傍の約３ｃｍ程度の幅の部分を住所氏名記載の票１として用い、この部分を蝋引きなどの方法で剥離紙化処理をおこなうことなくミシン目等の破断線８で切り離し可能な構成としたものである。この住所氏名記載の票１の裏面には粘着剤層２が形成されるようにし、それを覆うように剥離紙７が仮貼着されている。この積層構造を図７のＢに示す。受付では図７のＣに示したように破断線８に沿って住所氏名記載の票１を切り離し、裏面の剥離紙７を剥ぎとって整理簿に貼着すると共に、中のお金を確認してその金額を記帳する。なお、この実施例の簡便な応用例としては粘着剤層２の形成とそれを覆う剥離紙７を用いず、単に破断線８のみを施し、受付では住所氏名記載の票１を切り離し、裏面に糊付けして整理簿に貼着する形態、或いは住所氏名記載の票１の裏面に切手のような糊付けをしておいて、受付で住所氏名記載の票１を切り離し裏面を水で濡らして整理簿に貼着させる形態を採ることもできる。
【００１４】
【発明の効果】
本発明の交際袋は、裏面側適宜の部分に蝋引き等の処理して剥離紙領域とした部分を設け、該剥離紙領域部分に裏面に粘着層を形成した住所氏名記載欄を設けた１枚紙の票を仮貼着したもの、若しくは住所氏名記載欄を設けた１枚紙であって裏面が粘着層に形成された票を剥離紙上に仮貼着したものが、該剥離紙の裏面が交際袋に接した状態で裏面側適宜の部分に貼着されたものであるから、従来の交際袋の使用形態を損なわず、極めてシンプルな付加構成に留まるものであると共に、その使用によって出席者、受付者双方にとって煩わしい冠婚葬祭における受付業務をより簡便に、しかも迅速な処理を可能とする交際袋を提供することが可能となる。
【００１５】
また、本発明の住所氏名記載シールは、住所氏名記載欄を設けた１枚紙で裏面が粘着層に形成された票を剥離紙上に多数マトリックス状又は帯状に配列して仮貼着したものであって、個々の票を交際袋裏面側適宜の部分に貼着して用いることができるものであるから、従来の交際袋がその様式に関わらず使用することが可能である上、単に本発明のシールを貼着するだけで、出席者、受付者双方にとって煩わしい冠婚葬祭における受付業務をより簡便に、しかも迅速な処理を可能とする交際袋を提供することが可能となる。
更に、剥離紙の裏面が粘着層に形成されており、該粘着層は更に剥離紙に仮貼着されたものである住所氏名記載シールは、最下面の剥離紙を剥がして簡単にあらゆる種類の交際袋の裏面側適宜の部分に貼着して用いることができる上に、単に本発明のシールを貼着するだけで、出席者、受付者双方にとって煩わしい冠婚葬祭における受付業務をより簡便に、しかも迅速な処理を可能とする交際袋を提供することが可能となる。
【図面の簡単な説明】
【図１】ＡＢＣは住所氏名記載の票の積層状態を示す図で、Ｅは仮貼着状態をＤは剥離紙から票を剥がしている状態を示す図である。
【図２】袋状の交際袋に本発明を適用した実施例を示す図である。
【図３】折り畳み式交際袋に本発明を適用した実施例を示す図である。
【図４】本発明の住所氏名記載シールの実施例を示す図で、左は横書き用右側は縦書き用のものを示す。
【図５】整理簿に本発明の住所氏名記載の票を貼着して整理形態を説明する図で、左は横書き用右側は縦書き用のものを示す。
【図６】袋状の交際袋に住所氏名記載の票を切り離し形態とした実施例を示す図である。
【図７】折り畳み式交際袋に住所氏名記載の票を切り離し形態とした実施例を示す図である。
【符号の説明】
１　住所氏名記載の票　　　　　５　糊層
２　粘着剤層　　　　　　　　　６　粘着剤層
３　交際袋　　　　　　　　　　７　剥離紙
３１　剥離紙化した層　　　　　８　破断線
３２　未処理層　　　　　　　　９　特殊糊
４　剥離台紙
４１　剥離紙化した層
４２　未処理層
【図１】
2004067155.tif 000003
【図２】
2004067155.tif 000004
【図３】
2004067155.tif 000005
【図４】
2004067155.tif 000006
【図５】
2004067155.tif 000007
【図６】
2004067155.tif 000008
【図７】
2004067155.tif 000009